(57)【特許請求の範囲】
【請求項１】
内視鏡を介して体内に挿入される連動索（２１）の先端部に設けた処置部（２５）を操作部（１）により遠隔操作して作動させる内視鏡用処置具において、
前記操作部（１）は、互いに分割された割り筒（６）と、この割り筒（６）を重合した筒体（２）の先端部を互いに分離しないように支える口体（３）と、この筒体（２）の基端部を互いに分離しないように支える第一指掛け体（４）と、この筒体（２）に対し移動可能に支持した第二指掛け体（５）とを備え、
前記筒体（２）を通る連動索（２１）の基端部を第二指掛け体（５）に連結してこの第二指掛け体（５）の移動により前記処置部（２５）を遠隔操作可能にしたことを特徴とする内視鏡用処置具における遠隔操作部の構造。
【請求項２】
第一指掛け体（４）は、筒体（２）の基端部を互いに分離しないように支える尻体（１３）と、この尻体（１３）及び筒体（２）に対し筒体（２）内の連動索延設方向（Ｐ）回りで回動可能に支持した指掛け環（１４）とからなり、
第二指掛け体（５）は、前記連動索延設方向（Ｐ）に沿って移動し、第一指掛け体（４）の尻体（１３）に対し接近離間するようになっていることを特徴とする請求項１に記載の内視鏡用処置具における遠隔操作部の構造。
【請求項３】
内視鏡を介して体内に挿入される連動索（２１）の先端部に設けた処置部（２５）を操作部（１）により遠隔操作して作動させる内視鏡用処置具において、
前記操作部（１）は、割り筒（６）を有する筒体（２）と、この筒体（２）に対し移動可能に支持した第二指掛け体（５）とを備え、
前記筒体（２）の外周先端部側から外周基端部側にわたり割り筒（６）間で切込み（９）を延設してこの切込み（９）の基端部側を開放し、
この割り筒（６）を重合した筒体（２）の先端部を互いに分離しないように支える口体（３）と、この切込み（９）の基端部側開放部（９ａ）で筒体（２）の割り筒（６）の基端部を互いに分離しないように支える第一指掛け体（４）とを前記操作部（１）に備え、
前記第二指掛け体（５）にはワイヤ受け部（１９）を一体成形するとともにこのワイヤ受け部（１９）を挟んで前記割り筒（６）が挿入される挿通孔（２０ａ）を形成し、
前記筒体（２）を通る連動索（２１）の基端部を第二指掛け体（５）のワイヤ受け部（１９）に連結してこの第二指掛け体（５）の移動により前記処置部（２５）を遠隔操作可能にしたことを特徴とする内視鏡用処置具における遠隔操作部の構造。
【発明の詳細な説明】
【０００１】
【産業上の利用分野】
この発明は、手術や医療検査などに用いられる内視鏡用処置具において、その遠隔操作部の構造に関するものである。
【０００２】
【従来の技術】
実開平５ー１３４０９号公報に示す従来のものの類似品として図４に示す内視鏡用処置具において、操作部１は、一体成形された筒体２と、この筒体２の基端部に対し回動可能に支持された第一指掛け体４と、この筒体２に対し移動可能に支持された第二指掛け体５とを備えている。この第二指掛け体５は本体５ａとワイヤ受け部１９とからなり、このワイヤ受け部１９が一対の雄ねじ部品１９ａ，１９ｂに分割されている。この第二指掛け体５を筒体２に組付ける場合には、本体５ａを筒体２の外周に挿嵌するとともに、両雄ねじ部品１９ａ，１９ｂを筒体２の切込み９に挿入して互いに合体させ、この両雄ねじ部品１９ａ，１９ｂ（ワイヤ受け部１９）に本体５ａを螺合する。前記両雄ねじ部品１９ａ，１９ｂを合体させるとき、筒体２を通る連動索２１内のワイヤ２２の基端部をこのワイヤ受け部１９に連結する。そして、この第二指掛け体５の移動により処置部としてのカッター２５が遠隔操作されるようになっている。
【０００３】
【発明が解決しようとする課題】
ところが、前記筒体２が一体成形されているため、下記の欠点がある。
（イ）  筒体２内には連動索２１が挿通されるため、連動索挿通孔を成形しなければならず、筒体２の成形が困難であった。
【０００４】
（ロ）  筒体２には両雄ねじ部品１９ａ，１９ｂが挿入される切込み９を成形しなければならず、筒体２の成形が困難であった。
また、前記切込み９が筒体２の先端部及び基端部で閉塞されているため、下記の欠点がある。
【０００５】
（ハ）  第二指掛け体５を本体５ａとワイヤ受け部１９の両雄ねじ部品１９ａ，１９ｂに分割し、前述した組付け手順により第二指掛け体５を筒体２に組付ける必要があるため、その組付けが面倒であった。
【０００６】
本発明は操作部の構造を改良して筒体の成形を容易に行うことを目的としている。また、本発明は筒体に対する第二指掛け体の組付けを容易に行うことを目的としている。
【０００７】
【課題を解決するための手段】
後記する実施例の図面に示すように、第一発明にかかる内視鏡用処置具においては、内視鏡を介して体内に挿入される連動索（２１）の先端部に設けられた処置部（２５）が、操作部（１）により遠隔操作されて作動されるようになっている。前記操作部（１）は、互いに分割された割り筒（６）と、口体（３）と、第一指掛け体（４）と、第二指掛け体（５）とを備えている。口体（３）は、この割り筒（６）を重合した筒体（２）の先端部を互いに分離しないように支える。第一指掛け体（４）は、この筒体（２）の基端部を互いに分離しないように支える。第二指掛け体（５）は、この筒体（２）に対し移動可能に支持されている。前記筒体（２）を通る連動索（２１）の基端部が第二指掛け体（５）に連結され、この第二指掛け体（５）の移動により前記処置部（２５）が遠隔操作可能になっている。
【０００８】
第二発明においては、第一発明に加え、第一指掛け体（４）が尻体（１３）と指掛け環（１４）とからなる。尻体（１３）は、筒体（２）の基端部を互いに分離しないように支える。指掛け環（１４）は、この尻体（１３）及び筒体（２）に対し筒体（２）内の連動索延設方向（Ｐ）回りで回動可能に支持されている。さらに、第二指掛け体（５）は前記連動索延設方向（Ｐ）に沿って移動し、第一指掛け体（４）の尻体（１３）に対し接近離間するようになっている。
【０００９】
第三発明にかかる内視鏡用処置具においては、内視鏡を介して体内に挿入される連動索（２１）の先端部に設けられた処置部（２５）が、操作部（１）により遠隔操作されて作動されるようになっている。前記操作部（１）は、割り筒（６）を有する筒体（２）と、この筒体（２）に対し移動可能に支持された第二指掛け体（５）とを備えている。前記筒体（２）の外周先端部側から外周基端部側にわたり割り筒（６）間で切込み（９）が延設されてこの切込み（９）の基端部側が開放されている。この割り筒（６）を重合した筒体（２）の先端部を互いに分離しないように支える口体（３）と、この切込み（９）の基端部側開放部（９ａ）で筒体（２）の割り筒（６）の基端部を互いに分離しないように支える第一指掛け体（４）とを前記操作部（１）に備えている。前記第二指掛け体（５）にはワイヤ受け部（１９）が一体成形されているとともにこのワイヤ受け部（１９）を挟んで前記割り筒（６）が挿入される挿通孔（２０ａ）が形成されている。前記筒体（２）を通る連動索（２１）の基端部が第二指掛け体（５）のワイヤ受け部（１９）に連結され、この第二指掛け体（５）の移動により前記処置部（２５）が遠隔操作可能になっている。
【００１０】
【作用】
第一発明においては、操作部（１）の筒体（２）を割り筒（６）に分割すると、その内側が開放されて筒体（２）の成形が容易になる。この筒体（２）の割り筒（６）は口体（３）と第一指掛け体（４）とにより支えられて互いに分離しない。
【００１１】
第二発明においては、第一発明の作用に加え、第二指掛け体（５）が第一指掛け体（４）の尻体（１３）に対し接近離間するとき、第一指掛け体（４）の指掛け環（１４）が回動する。
【００１２】
第三発明においては、第二指掛け体（５）を筒体（２）に組付ける場合、例えば、筒体（２）の割り筒（６）をそれぞれその基端部側から第二指掛け体（５）の挿通孔（２０ａ）に挿入して、この割り筒（６）間の切込み（９）にその基端部側開放部（９ａ）から第二指掛け体（５）のワイヤ受け部（１９）を挿入するだけでよい。
【００１３】
【実施例】
以下、本発明の一実施例にかかる内視鏡用処置具を図１，２を参照して説明する。
【００１４】
操作部１は、筒体２と口体３と第一指掛け体４と第二指掛け体５とを備え、互いに分離されて成形されている。
前記筒体２は二分割された割り筒６からなり、両割り筒６がプラスチックにより一体成形され、互いに重合されて円筒状をなす。その重合状態では、筒体２の先端部外周と基端部外周とにそれぞれ嵌着部７，８が形成され、この外周先端部側から外周基端部側にわたり筒体２の割り筒６間で切込み９が延設され、前記基端部側の嵌着部８の内側で筒体２内に周溝１０（回動案内部）が形成されている。この両切込み９の基端部側が筒体２の延設方向へ開放されて開放部９ａになっている。
【００１５】
前記口体３はプラスチックにより一体成形されて円筒状をなし、その先端部内周に挿入孔１１が形成され、その基端部内周に嵌着孔１２が形成されている。この嵌着孔１２に前記筒体２の先端部外周の嵌着部７が挿嵌され、この口体３により筒体２の先端部が互いに分離しないように支えられている。
【００１６】
前記第一指掛け体４は円筒状の尻体１３と指掛け環１４とからなり、それぞれ互いに分離されてプラスチックにより一体成形されている。この尻体１３は前記筒体２の基端部外周の嵌着部８に挿嵌され、この尻体１３により筒体２の基端部が互いに分離しないように支えられている。この指掛け環１４は頭環１５と首軸１６とからなり、この首軸１６の外周に周突条１７（回動案内部）が形成されている。この首軸１６の周突条１７が前記筒体２の基端部内側の周溝１０に挿嵌され、指掛け環１４が尻体１３及び筒体２の嵌着部８に対し筒体２の延設方向回りで回動可能に支持されている。
【００１７】
前記第二指掛け体５はプラスチックにより一体成形されて円筒状をなす。この第二指掛け体５においては、その外周に指掛け溝１８が形成され、その内側の摺動孔２０の下半部にワイヤ受け部１９が橋状に架設されているとともに、このワイヤ受け部１９を挟んで摺動孔２０に挿通孔２０ａが形成されている。この両挿通孔２０ａに前記筒体２の両割り筒６が挿通されて摺動孔２０の内周面が筒体２の外周面に摺接し、この第二指掛け体５が筒体２に対しその延設方向へ移動可能に支持されている。
【００１８】
連動策２１は、内視鏡（図示せず）を介して体内に挿入されるものであって、ワイヤ２２と保護パイプ２３と保護コイル２４とカッター２５（処置部）とからなる。前記筒体２内でワイヤ２２の基端部が保護パイプ２３内に挿入されて半田付けされている。このワイヤ２２及び保護パイプ２３は前記第二指掛け体５のワイヤ受け部１９に挿入され、その基端折曲部で止めねじ２６により挟持されて連結されている。前記保護コイル２４はこのワイヤ２２及び保護パイプ２３の外周に巻装され、この保護コイル２４の基端部が前記口体３内で半田付けされて挿入孔１１から引き出されている。この保護コイル２４の先端部に一対の小アーム２７が設けられ、この両小アーム２７間に前記カッター２５が取り付けられている。このカッター２５は前記ワイヤ２２の先端部に接続され、両小アーム２７上の支軸２７ａを中心に開閉するようになっている。
【００１９】
前記第一指掛け体４の指掛け環１４と第二指掛け体５の指掛け溝１８とに指を掛けて第二指掛け体５を筒体２内の連動索延設方向Ｐ（前記筒体延設方向）へ往復移動させると、ワイヤ２２を介してカッター２５が開閉する。
【００２０】
本実施例は下記（イ）〜（ニ）の特徴を有する。
（イ）  前記筒体２は二分割された割り筒６からなるため、筒体２の内側が開放される。従って、連動策２１を挿通するための孔や、第二指掛け体５のワイヤ受け部１９を挿入するための切込み９を筒体２に成形する場合、その成形を容易に行うことができる。
【００２１】
（ロ）  前記第二指掛け体５を筒体２に組付ける場合、筒体２の両割り筒６をそれぞれその基端部側から第二指掛け体５の両挿通孔２０ａに挿入して、この両割り筒６間の切込み９にその基端部側開放部９ａから第二指掛け体５のワイヤ受け部１９を挿入するだけでよいので、その組付けを容易に行うことができる。
【００２２】
（ハ）  前記第一指掛け体４の指掛け環１４を筒体２の基端部に組付ける場合、二分割された割り筒６をこの指掛け環１４の首軸１６にその外側から重ね合わせた後、さらにこの両割り筒６の外側に尻体１３を挿嵌するだけで、首軸１６の周突条１７を両割り筒６の周溝１０に係入できるので、その組付けを容易に行うことができるとともに、両割り筒６の支えと指掛け環１４の回動支持とを確実に行うことができる。
【００２３】
（ニ）  第一指掛け体４の指掛け環１４が回動するため、第二指掛け体５を第一指掛け体４の尻体１３に対し接近離間させるとき、カッター２５の遠隔操作を行い易い。
【００２４】
前記実施例以外にも下記（イ）〜（ハ）のように構成してもよい。
（イ）  図３に示すように、前記第一指掛け体４においてその尻体１３と指掛け環１４とを一体化し、指掛け環１４の首軸１６に尻体１３の機能を持たせる。すなわち、筒体２の両割り筒６の外周に案内突起６ａを設けるとともに、この首軸１６の内周に案内溝１６ａを設け、この両割り筒６を首軸１６内に挿嵌してこの両案内突起６ａを案内溝１６ａに係入する。従って、第一指掛け体４はこの両案内突起６ａ及び案内溝１６ａ（回動案内部）で案内されて筒体２内の連動索延設方向Ｐ回りで回動可能に支持される。なお、この首軸１６内には切込み９の基端部側開放部９ａに係入されて両割り筒６を位置決めするための係止突起１６ｂが形成されている。
【００２５】
（ロ）  前記筒体２の割り筒６を三以上に分割する。
（ハ）  前記実施例では、両割り筒６間の切込み９の基端部側に開放部９ａを設けて第一指掛け体４の指掛け環１４により閉塞している。この基端部側開放部９ａのみを設けた場合には、筒体２の両割り筒６をその先端部側で一体化して二股状にし、口体３を別体にするか一体化するようにしてもよい。
【００２６】
各実施例から把握できる技術的思想（請求項以外）を効果とともに記載する。（イ）  請求項１の第一指掛け体４を筒体２に対し筒体２内の連動索延設方向Ｐ回りで回動可能に支持した。従って、第二指掛け体５を第一指掛け体４に対し接近離間させるとき、カッター２５の遠隔操作を行い易い。
【００２７】
【発明の効果】
第一発明にかかる内視鏡用処置具によれば、操作部（１）の筒体（２）が割り筒（６）に分割されているため、筒体（２）の成形を容易に行うことができる。また、口体（３）と第一指掛け体（４）とにより、この割り筒（６）を重合した筒体（２）の先端部と基端部とを互いに分離しないように支えることができる。
【００２８】
第二発明によれば、第一発明の効果に加え、第一指掛け体（４）をさらに尻体（１３）と指掛け環（１４）とに分けてこの指掛け環（１４）を回動可能にしたので、第二指掛け体（５）を第一指掛け体（４）の尻体（１３）に対し接近離間させるとき、処置部（２５）の遠隔操作を行い易い。
【００２９】
第三発明によれば、筒体（２）に対する第二指掛け体（５）の組付けを容易に行うことができる。
【図面の簡単な説明】
【図１】  （ａ）は本実施例にかかる内視鏡用処置具を示す分解斜視図であり、（ｂ）は（ａ）における第二指掛け体の横断面図である。
【図２】  （ａ）は図１（ａ）の内視鏡用処置具を示す組付け正面図であり、（ｂ）は（ａ）を正面側から見た部分縦断面図である。
【図３】  （ａ）は他の実施例にかかる内視鏡用処置具を示す部分正面図であり、（ｂ）は（ａ）を正面側から見た部分縦断面図である。
【図４】  （ａ）は従来の内視鏡用処置具を示す平面図であり、（ｂ）は（ａ）のＹーＹ線における部分縦断面図である。
【符号の説明】
１…操作部、２…筒体、３…口体、４…第一指掛け体、５…第二指掛け体、６…割り筒、９…切込み、９ａ…開放部、１３…尻体、１４…指掛け環、１９…ワイヤ受け部、２０ａ…挿通孔２１…連動索、２５…処置部としてのカッター、Ｐ…連動索延設方向。
【図１】
0003669731.tif 000002
【図２】
0003669731.tif 000003
【図３】
0003669731.tif 000004
【図４】
0003669731.tif 000005